(57)【要約】【課題】電子機器のデザインを所望のデザインに設定することができる電子機器、電子機器のデザイン設定システム、電子機器のデザイン設定方法、及び電子機器のデザイン設定プログラムを提供すること。【解決手段】電子機器は、機器の表面の少なくとも一部に配され、機器の外表面デザインの少なくとも一部を構成する表示画像を表示することを主目的とする表示機構と、外部から画像データを取得する取得機構と、画像データを解析し、画像データに含まれる少なくとも１つの画像要素を抽出する解析機構と、少なくとも１つの画像要素を記憶する記憶機構と、少なくとも１つの画像要素から表示画像を作成する作成機構と、表示画像を表示機構に出力する制御機構と、を備える。【選択図】図１
2010245620.tif 000002
【特許請求の範囲】
【請求項１】
機器の表面の少なくとも一部に配され、機器の外表面デザインの少なくとも一部を構成する表示画像を表示することを主目的とする表示機構と、
外部から画像データを取得する取得機構と、
前記画像データを解析し、前記画像データに含まれる少なくとも１つの画像要素を抽出する解析機構と、
少なくとも１つの前記画像要素を記憶する記憶機構と、
少なくとも１つの前記画像要素から前記表示画像を作成する作成機構と、
前記表示画像を前記表示機構に出力する制御機構と、
を備えることを特徴とする電子機器。
【請求項２】
前記作成機構は、所定の画像作成条件に基づいて前記表示画像を自動的に作成することを特徴とする請求項１に記載の電子機器。
【請求項３】
前記記憶機構は、複数の前記画像作成条件を記憶し、
前記作成機構は、複数の前記画像作成条件から使用者によって選択された画像作成条件に基づいて前記表示画像を作成することを特徴とすることを特徴とする請求項２に記載の電子機器。
【請求項４】
前記作成機構は、前記記憶機構に記憶された複数の画像要素から使用者によって選択された少なくとも１つの画像要素を使用して前記表示画像を作成することを特徴とする請求項１〜３のいずれか一項に記載の電子機器。
【請求項５】
前記取得機構は、他の電子機器と画像データを送受信する通信機構を有することを特徴とする請求項１〜４のいずれか一項に記載の電子機器。
【請求項６】
前記他の電子機器とは異なる種類の電子機器であることを特徴とすることを特徴とする請求項１〜５のいずれか一項に記載の電子機器。
【請求項７】
前記記憶機構は、前記作成機構が作成した前記表示画像を記憶することを特徴とすることを特徴とする請求項１〜６のいずれか一項に記載の電子機器。
【請求項８】
前記表示機構は、電子機器のデザインとして形成されることを特徴とすることを特徴とする請求項１〜７のいずれか一項に記載の電子機器。
【請求項９】
機器の表面の少なくとも一部に配され、機器の外表面デザインの少なくとも一部を構成する表示画像を表示することを主目的とする表示機構、
前記表示画像を前記表示機構に出力する制御機構、及び
他の電子機器と通信する通信機構、を有する複数の電子機器を備え、
複数の前記電子機器のうちの少なくとも１つの電子機器は、前記表示画像を作成する作成機構を有し、
前記作成機構は、複数の前記電子機器間における前記表示画像を対応させることを特徴とする電子機器のデザイン設定システム。
【請求項１０】
前記通信機構は、複数の前記電子機器のうちの少なくとも１つの他の電子機器から前記他の電子機器の表示画像を受信し、
前記作成機構は、前記他の電子機器の表示画像を基に前記表示画像を作成することを特徴とする請求項９に記載の電子機器のデザイン設定システム。
【請求項１１】
複数の前記電子機器は、それぞれ、前記作成機構を有し、
複数の前記電子機器の前記作成機構は、協働して前記表示画像を作成することを特徴とする請求項９又は１０に記載の電子機器のデザイン設定システム。
【請求項１２】
機器の表面の少なくとも一部に配され、機器の外表面デザインの少なくとも一部を構成する表示画像を表示することを主目的とする表示機構、
前記表示画像を前記表示機構に出力する制御機構、及び
他の機器と通信する通信機構、を有する複数の電子機器と、
複数の前記電子機器と通信するサーバと、を備え、
前記サーバは、前記表示画像を作成する作成機構を有し、
前記作成機構は、複数の前記電子機器間における前記表示画像を対応させることを特徴とする電子機器のデザイン設定システム。
【請求項１３】
前記サーバは、複数の前記電子機器のうちの少なくとも１つの電子機器から画像データを取得し、
前記作成機構は、電子機器から取得した画像データを基に前記表示画像を作成することを特徴とする請求項１２に記載の電子機器のデザイン設定システム。
【請求項１４】
前記サーバは、画像データを解析し、前記画像データに含まれる画像要素を抽出する解析機構と、
少なくとも１つの前記画像要素を記憶する記憶機構と、を有することを特徴とする請求項１２又は１３に記載の電子機器のデザイン設定システム。
【請求項１５】
前記作成機構は、少なくとも１つの前記画像要素から前記表示画像を作成することを特徴とする請求項１４に記載の電子機器のデザイン設定システム。
【請求項１６】
複数の前記電子機器は、異なる種類の電子機器を含むことを特徴とする請求項９〜１５のいずれか一項に記載の電子機器のデザイン設定システム。
【請求項１７】
複数の前記電子機器のうちの少なくとも１つは、請求項１〜８のいずれか一項に記載の電子機器であることを特徴とする請求項９〜１６のいずれか一項に記載の電子機器のデザイン設定システム。
【請求項１８】
画像データを解析し、前記画像データに含まれる少なくとも１つの画像要素を抽出する解析工程と、
前記画像要素のうち少なくとも１つを記憶する記憶工程と、
前記画像要素のうち少なくとも１つを基に、少なくとも１つの電子機器の表示機構に出力され、機器の外表面デザインの少なくとも一部を構成する表示画像を作成する作成工程と、
前記表示機構に前記表示画像を出力する出力工程と、を含むことを特徴とする電子機器のデザイン設定方法。
【請求項１９】
前記作成工程において、複数の前記電子機器間において表示画像が対応するように前記表示画像を作成することを特徴とする請求項１８に記載の電子機器のデザイン設定方法。
【請求項２０】
複数の電子機器の表示機構に出力され、前記電子機器の外表面デザインの少なくとも一部を構成する少なくとも１つの表示画像を、複数の前記電子機器間における表示画像が対応するように作成する作成工程と、
前記表示機構に前記表示画像を出力する出力工程と、を含むことを特徴とする電子機器のデザイン設定方法。
【請求項２１】
画像データを解析し、前記画像データに含まれる少なくとも１つの画像要素を抽出する解析工程と、
前記画像要素のうち少なくとも１つを記憶する記憶工程と、をさらに含み、
前記作成工程において、前記画像要素のうち少なくとも１つを基に前記表示画像を作成することを特徴とする請求項２０に記載の電子機器のデザイン設定方法。
【請求項２２】
前記作成工程において、記憶した複数の前記画像要素から使用者によって選択された少なくとも１つの画像要素を使用して前記表示画像を作成することを特徴とする請求項１８、１９又は２１に記載の電子機器のデザイン設定方法。
【請求項２３】
前記作成工程において、所定の画像作成条件に基づいて前記表示画像を自動的に作成することを特徴とする請求項１８〜２２のいずれか一項に記載の電子機器のデザイン設定方法。
【請求項２４】
前記作成工程において、複数の前記画像作成条件から使用者によって選択された画像作成条件に基づいて前記表示画像を作成することを特徴とする請求項１８〜２３のいずれか一項に記載の電子機器のデザイン設定方法。
【請求項２５】
前記作成工程において、複数の電子機器のうち少なくとも１つの電子機器から取得した画像データ又は該画像データから抽出した画像要素を基に、複数の前記電子機器の前記表示画像を作成することを特徴とする請求項１８〜２４のいずれか一項に記載の電子機器のデザイン設定方法。
【請求項２６】
前記作成工程において作成した前記表示画像を前記他の電子機器に送信する送信工程をさらに含み、
前記出力工程において、前記他の電子機器は、前記送信工程において送信された前記表示画像を前記表示機構に出力することを特徴とする請求項１８〜２５のいずれか一項に記載の電子機器のデザイン設定方法。
【請求項２７】
異なる種類の電子機器間において前記表示画像を対応させることを特徴とする請求項１８〜２６のいずれか一項に記載の電子機器のデザイン設定方法。
【請求項２８】
前記作成工程において、複数の電子機器が協働して前記表示画像を作成することを特徴とする請求項１８〜２７のいずれか一項に記載の電子機器のデザイン設定方法。
【請求項２９】
画像データを解析する解析工程と、
前記画像データに含まれる画像要素を抽出する抽出工程と、
前記画像要素のうち少なくとも１つを記憶機構に記憶する記憶工程と、
前記画像要素のうち少なくとも１つを基に、少なくとも１つの電子機器の表示機構に出力され、機器の外表面デザインの少なくとも一部を構成する表示画像を作成する作成工程と、
前記表示機構に前記表示画像を出力する出力工程と、を電子機器に実現させることを特徴とする電子機器のデザイン設定プログラム。
【請求項３０】
前記作成工程において、複数の前記電子機器間において表示画像が対応するように前記表示画像を作成することを特徴とする請求項２９に記載の電子機器のデザイン設定プログラム。
【請求項３１】
複数の電子機器の表示機構に出力され、前記電子機器の外表面デザインの少なくとも一部を構成する少なくとも１つの表示画像を、複数の前記電子機器間における表示画像が対応するように作成する作成工程と、
前記表示機構に前記表示画像を出力する出力工程と、を電子機器に実現させることを特徴とする電子機器のデザイン設定プログラム。
【請求項３２】
画像データを解析し、前記画像データに含まれる少なくとも１つの画像要素を抽出する解析工程と、
前記画像要素のうち少なくとも１つを記憶する記憶工程と、を電子機器にさらに実現させ、
前記作成工程において、前記画像要素のうち少なくとも１つを基に前記表示画像を作成することを特徴とする請求項３１に記載の電子機器のデザイン設定プログラム。
【発明の詳細な説明】
【技術分野】
【０００１】
本発明は、デザインを変更することが可能な電子機器に関する。本発明は、電子機器のデザインを設定するシステムに関する。本発明は、電子機器のデザインの設定をする方法に関する。本発明は、電子機器のデザインの設定をプログラムに関する。
【背景技術】
【０００２】
電子機器のデザインは、購入者が購入する電子機器を選択するための重要な要素のひとつとなっている。例えば、携帯電話機等のように使用者が常時携帯する電子機器は、特にデザインに対する興味が強く持たれる傾向にある。このため、例えば、携帯電話機においては、購入時のデザインの上にさらに独自の塗装を施したり、シールや装飾品を取り付けたりするなどのデザイン変更が一般的に行われている。
【０００３】
電子機器のデザインの変更に関する技術は、例えば特許文献１及び特許文献２に開示されている。
【０００４】
特許文献１に記載の情報処理装置においては、情報処理装置の出荷後に、着せ替えシートを情報処理装置の筐体に貼り付けることによって外観デザインの変更が可能となっている。また、情報処理装置のインタフェースの操作環境デザインも、変更した外観デザインに適合するように変更可能となっている。
【０００５】
特許文献２に記載の電子機器は、少なくとも筐体の一部が電子ペーパーであり、画像データを入力する画像データ入力手段と、電子ペーパーを駆動制御する電子ペーパー駆動制御手段と、電子ペーパー駆動制御手段による駆動制御の制御条件を設定する条件設定手段と、条件設定手段により設定された制御条件に基づき電子ペーパー駆動制御手段が電子ペーパー表示させる表示画像データを画像データから生成する電子ペーパー表示画像データ生成手段と、を備える。電子ペーパー表示画像データ生成手段は、ユーザの色調等にマッチングさせるために擬態表示した表示画像データを作成する。
【先行技術文献】
【特許文献】
【０００６】
【特許文献１】特開２００６−１６６０４７号公報
【特許文献２】特開２００６−１７３４８４号公報
【発明の概要】
【発明が解決しようとする課題】
【０００７】
以下の分析は、本発明の観点から与えられる。
【０００８】
携帯電話機等の電子機器のデザインを例えば塗装や装飾品等の取り付けによって変更する場合、一度デザイン変更してしまうと、別のデザインに変更することは容易ではない。また、塗装や装飾品の取り付けは、その作業に時間を要し、手軽にデザイン変更できるものではない。
【０００９】
特許文献１に記載のような着せ替えシートによってデザイン変更する場合、メーカーから提供される着せ替えシートのデザインは、その種類に限度がある。また、着せ替えシートのデザインは、使用者が各自の好みや最先端の流行に合わせるように使用者が変更したり、新規に作成したりすることは容易ではない。
【００１０】
特許文献２に記載の電子機器によれば、擬態表示するような電子機器のデザインを作成することができるのみであり、作成可能なデザインの自由度が低い。例えば、特許文献２に記載の電子機器は、所定の画像要素を用いて新たなデザインを作成することはできない。また、特許文献２に記載の電子機器は、家族、友人又はグループ内において各個人の電子機器のデザインをそれぞれ変更して、デザインの統一を図ったり、調和させたりするためには、面倒な作業が必要となる。
【００１１】
本発明の目的は、電子機器のデザインを所望のデザインに設定することができる電子機器、電子機器のデザイン設定システム、電子機器のデザイン設定方法、及び電子機器のデザイン設定プログラムを提供することである。また、本発明の目的は、複数の電子機器間でデザインを容易に対応させることができる電子機器、電子機器のデザイン設定システム、電子機器のデザイン設定方法、及び電子機器のデザイン設定プログラムを提供することである。
【課題を解決するための手段】
【００１２】
本発明の第１視点によれば、機器の表面の少なくとも一部に配され、機器の外表面デザインの少なくとも一部を構成する表示画像を表示することを主目的とする表示機構と、外部から画像データを取得する取得機構と、画像データを解析し、画像データに含まれる少なくとも１つの画像要素を抽出する解析機構と、少なくとも１つの画像要素を記憶する記憶機構と、少なくとも１つの画像要素から表示画像を作成する作成機構と、表示画像を表示機構に出力する制御機構と、を備える電子機器が提供される。
【００１３】
本発明の第２視点によれば、機器の表面の少なくとも一部に配され、機器の外表面デザインの少なくとも一部を構成する表示画像を表示することを主目的とする表示機構、表示画像を表示機構に出力する制御機構、及び他の電子機器と通信する通信機構、を有する複数の電子機器を備える電子機器のデザイン設定システムが提供される。複数の電子機器のうちの少なくとも１つの電子機器は、表示画像を作成する作成機構を有する。作成機構は、複数の電子機器間における表示画像を対応させる。
【００１４】
本発明の第３視点によれば、機器の表面の少なくとも一部に配され、機器の外表面デザインの少なくとも一部を構成する表示画像を表示することを主目的とする表示機構、表示画像を表示機構に出力する制御機構、及び他の機器と通信する通信機構、を有する複数の電子機器と、複数の電子機器と通信するサーバと、を備える電子機器のデザイン設定システムが提供される。サーバは、表示画像を作成する作成機構を有する。作成機構は、複数の電子機器間における表示画像を対応させる。
【００１５】
本発明の第４視点によれば、画像データを解析し、画像データに含まれる少なくとも１つの画像要素を抽出する解析工程と、画像要素のうち少なくとも１つを記憶する記憶工程と、画像要素のうち少なくとも１つを基に、少なくとも１つの電子機器の表示機構に出力され、機器の外表面デザインの少なくとも一部を構成する表示画像を作成する作成工程と、表示機構に表示画像を出力する出力工程と、を含む電子機器のデザイン設定方法が提供される。
【００１６】
本発明の第５視点によれば、複数の電子機器の表示機構に出力され、前記電子機器の外表面デザインの少なくとも一部を構成する少なくとも１つの表示画像を、複数の電子機器間における表示画像が対応するように作成する作成工程と、表示機構に表示画像を出力する出力工程と、を含む電子機器のデザイン設定方法が提供される。
【００１７】
本発明の第６視点によれば、画像データを解析する解析工程と、画像データに含まれる画像要素を抽出する抽出工程と、画像要素のうち少なくとも１つを記憶機構に記憶する記憶工程と、画像要素のうち少なくとも１つを基に、少なくとも１つの電子機器の表示機構に出力され、機器の外表面デザインの少なくとも一部を構成する表示画像を作成する作成工程と、表示機構に表示画像を出力する出力工程と、を電子機器に実現させる電子機器のデザイン設定プログラムが提供される。
【００１８】
本発明の第７視点によれば、複数の電子機器の表示機構に出力され、前記電子機器の外表面デザインの少なくとも一部を構成する少なくとも１つの表示画像を、複数の電子機器間における表示画像が対応するように作成する作成工程と、表示機構に表示画像を出力する出力工程と、を電子機器に実現させる電子機器のデザイン設定プログラムが提供される。
【発明の効果】
【００１９】
本発明は、以下の効果のうち少なくとも１つを有する。
【００２０】
本発明によれば、使用者の要望に応じた電子機器のデザインを作成することができる。また、電子機器のデザインを容易に設定又は変更することができる。
【００２１】
本発明によれば、複数の電子機器間におけるデザインを統一したり、調和させたりすることができる。また、複数の電子機器間のデザインを容易に対応させることができる。
【００２２】
本発明によれば、電子機器のメーカーは、電子機器のデザインに掛けるコストを低減させることができる。
【図面の簡単な説明】
【００２３】
【図１】本発明の電子機器の一実施形態を示す概略構成図。
【図２】画像要素の例を示す概念図。
【図３】本発明の電子機器のデザイン設定方法及びデザイン設定プログラムを説明するためのフローチャート。
【図４】第１実施形態に係るデザイン設定システムの概略構成図。
【図５】本発明の電子機器のデザイン設定方法及びデザイン設定プログラムを説明するためのフローチャート。
【図６】本発明の電子機器のデザイン設定方法及びデザイン設定プログラムを説明するためのフローチャート。
【図７】本発明の電子機器のデザイン設定方法及びデザイン設定プログラムを説明するためのフローチャート。
【図８】第２実施形態に係るデザイン設定システムの概略構成図。
【図９】本発明の電子機器のデザイン設定方法及びデザイン設定プログラムを説明するためのフローチャート。
【発明を実施するための形態】
【００２４】
上記第１視点〜第７視点の好ましい形態を以下に記載する。
【００２５】
上記第１視点の好ましい形態によれば、作成機構は、所定の画像作成条件に基づいて表示画像を自動的に作成する。
【００２６】
上記第１視点の好ましい形態によれば、記憶機構は、複数の画像作成条件を記憶する。作成機構は、複数の画像作成条件から使用者によって選択された画像作成条件に基づいて表示画像を作成する。
【００２７】
上記第１視点の好ましい形態によれば、作成機構は、記憶機構に記憶された複数の画像要素から使用者によって選択された少なくとも１つの画像要素を使用して表示画像を作成する。
【００２８】
上記第１視点の好ましい形態によれば、取得機構は、他の電子機器と画像データを送受信する通信機構を有する。
【００２９】
上記第１視点の好ましい形態によれば、他の電子機器とは異なる種類の電子機器である。
【００３０】
上記第１視点の好ましい形態によれば、記憶機構は、作成機構が作成した表示画像を記憶する。
【００３１】
上記第１視点の好ましい形態によれば、表示機構は、電子機器のデザインとして形成される。
【００３２】
上記第２視点の好ましい形態によれば、通信機構は、複数の電子機器のうちの少なくとも１つの他の電子機器から他の電子機器の表示画像を受信する。作成機構は、他の電子機器の表示画像を基に表示画像を作成する。
【００３３】
上記第２視点の好ましい形態によれば、複数の電子機器は、それぞれ、作成機構を有する。複数の電子機器の作成機構は、協働して表示画像を作成する。
【００３４】
上記第３視点の好ましい形態によれば、サーバは、複数の電子機器のうちの少なくとも１つの電子機器から画像データを取得する。作成機構は、電子機器から取得した画像データを基に表示画像を作成する。
【００３５】
上記第３視点の好ましい形態によれば、サーバは、画像データを解析し、画像データに含まれる画像要素を抽出する解析機構と、少なくとも１つの画像要素を記憶する記憶機構と、を有する。
【００３６】
上記第３視点の好ましい形態によれば、作成機構は、少なくとも１つの画像要素から表示画像を作成する。
【００３７】
上記第２視点及び第３視点の好ましい形態によれば、複数の電子機器は、異なる種類の電子機器を含む。
【００３８】
上記第２視点及び第３視点の好ましい形態によれば、複数の電子機器のうちの少なくとも１つは、上記第１視点に係る電子機器である。
【００３９】
上記第４視点の好ましい形態によれば、作成工程において、複数の電子機器間において表示画像が対応するように表示画像を作成する。
【００４０】
上記第５視点の好ましい形態によれば、電子機器のデザイン設定方法は、画像データを解析し、画像データに含まれる少なくとも１つの画像要素を抽出する解析工程と、画像要素のうち少なくとも１つを記憶する記憶工程と、をさらに含む。作成工程において、画像要素のうち少なくとも１つを基に表示画像を作成する。
【００４１】
上記第４視点及び第５視点の好ましい形態によれば、作成工程において、記憶した複数の画像要素から使用者によって選択された少なくとも１つの画像要素を使用して表示画像を作成する。
【００４２】
上記第４視点及び第５視点の好ましい形態によれば、作成工程において、所定の画像作成条件に基づいて表示画像を自動的に作成する。
【００４３】
上記第４視点及び第５視点の好ましい形態によれば、作成工程において、複数の画像作成条件から使用者によって選択された画像作成条件に基づいて表示画像を作成する。
【００４４】
上記第４視点及び第５視点の好ましい形態によれば、作成工程において、複数の電子機器のうち少なくとも１つの電子機器から取得した画像データ又は該画像データから抽出した画像要素を基に、複数の電子機器の表示画像を作成する。
【００４５】
上記第４視点及び第５視点の好ましい形態によれば、電子機器のデザイン設定方法は、作成工程において作成した表示画像を他の電子機器に送信する送信工程をさらに含む。出力工程において、他の電子機器は、送信工程において送信された表示画像を表示機構に出力する。
【００４６】
上記第４視点及び第５視点の好ましい形態によれば、異なる種類の電子機器間において表示画像を対応させる。
【００４７】
上記第４視点及び第５視点の好ましい形態によれば、作成工程において、複数の電子機器が協働して表示画像を作成する。
【００４８】
上記第６視点の好ましい形態によれば、作成工程において、複数の電子機器間において表示画像が対応するように表示画像を作成する。
【００４９】
上記第７視点の好ましい形態によれば、電子機器のデザイン設定プログラムは、画像データを解析し、画像データに含まれる少なくとも１つの画像要素を抽出する解析工程と、画像要素のうち少なくとも１つを記憶する記憶工程と、を電子機器にさらに実現させる。作成工程において、画像要素のうち少なくとも１つを基に表示画像を作成する。
【００５０】
次に、本発明の電子機器の一実施形態について説明する。図１に、本発明の電子機器の一実施形態を示す概略構成図を示す。本発明の電子機器１０は、取得機構１１と、解析機構１２と、記憶機構１３と、作成機構１４と、制御機構１５と、表示機構１６と、を備える。
【００５１】
表示機構１６は、電子機器１０の外表面デザインとなる表示画像を表示することを主目的とするものであり、電子機器１０の表面の少なくとも一部に配されている。表示機構１６は、電子機器１０の外表面積の５０％以上を占めていると好ましく、７０％占めているとより好ましい。表示機構１６は、反射板を有するバックライトを必要としないものが好ましい。表示機構１６としては、例えば反射型液晶ディスプレイや電子ペーパー等を使用することができる。表示機構１６は、電子機器１０の操作をしたり、情報を入力・出力したりすることを主目的とする表示機構１６と、別個のものにすると好ましい。例えば、電子機器１０が携帯電話機である場合、携帯番号やメール内容等が出力される表示機構と、表示画像が出力される表示機構１６は、それぞれ独立に設けると好ましい。表示機構１６は、電子機器１０の平面以外の部分（例えば角部、凹部、凸部等）に形成されていると好ましい。また、表示機構１６には、時刻等を表示できるようにしてもよい。例えば、電子機器が携帯電話機である場合、着信やメール受信を表示するようにしてもよい。
【００５２】
取得機構１１は、外部から画像データを取得するものである。取得機構１１としては、例えば、図１に示すような入力機構１１ａや通信機構１１ｂ等を使用することができる。入力機構１１ａの例としては、例えばカメラ機構を挙げることができる。例えば、取得機構１１が入力機構１１ａである場合、取得機構１１は、入力機構１１ａで撮影したものを画像データとして取得することができる。また、取得機構１１が通信機構１１ｂである場合、有線通信及び無線通信の少なくとも一方により、他の電子機器１０（例えばパソコン、携帯電話機等）やインターネットサイトから画像データを取得することができる。取得機構１１は１つの機構に限定することなく、複数の機構を有していてもよい。例えば、取得機構１１は、入力機構１１ａと通信機構１１ｂを両方有してもよい。
【００５３】
解析機構１２は、取得機構が取得した画像データを解析し、画像データに含まれる画像要素を抽出するものである。図２に、画像要素の例を示す概念図を示す。画像要素は、表示画像を作成するのに使用される。画像要素としては、例えば、絵柄・模様（例えば、自然風景、動物、キャラクター等）、色、色彩（色の組み合わせ）等が挙げられる。解析機構１２は、例えば、写真や絵等の画像データから、図２に示すような画像要素を抽出する。また、解析機構１２は、例えば写真画像に対して、対象物の質感、風合い等を解析し、それらを画像要素として抽出する。また、解析機構１２は、抽出した画像要素を所定の条件に沿って分類する。例えば、画像要素が絵柄・模様である場合には、解析機構１２は、図２に示すように、絵柄・模様を自然風景、動物、キャラクター等の同系種毎に分類し、記憶機構１３の画像フォルダに割り当てる。画像要素がカラーである場合には、解析機構１２は、カラーを赤系、黄系等の同系色毎に分類し、記憶機構１３のカラーパレットに割り当てる。さらに、解析機構１２は、所定の条件（例えば色彩表等のパラメータ）に基づいて、最適の色の組み合わせ、流行の色の組み合わせ等の画像要素を作成し、記憶機構１３のカラーテーブルに割り当てる。色の組み合わせを作成する所定の条件は、デフォルトで組み込まれてもよいし、使用者が設定してもよいし、通信機構１１ｂから入手してもよい。
【００５４】
作成機構１４は、解析機構１２によって抽出された画像要素（取得機構１１が取得した画像データ含む）のうちの少なくとも１つから、表示機構１６に表示する表示画像を作成するものである。作成機構１４は、画像要素（例えば、記憶機構１３の画像フォルダに記憶された画像要素やカラーテーブル）を基に、使用者が手動で表示画像を作成ないし編集するものでもよいし、所定の作成条件に基づいて表示画像を自動的に作成するものでもよいし、手動作成と自動作成とを組み合わせて作成するものでもよい。また、作成機構１４は、使用者が画像要素を組み合わせる（例えば、所定のキャラクターと所定の模様とを組み合わせる、相性のよい色の組み合わせや流行の色の組み合わせを作成する等）などして、表示画像の基となる新たな画像要素を作成できるものでもよい。
【００５５】
制御機構１５は、作成機構１４が作成した表示画像及び取得機構１１から取得した表示画像を表示機構１６に出力するものである。制御機構１５は、表示画像の出力を調整可能なものであってもよい。例えば、制御機構１５は、表示画像を表示機構１６全体に表示したり、表示機構１６の一部に表示したり、複数の表示画像を複数配列させたりするものであってもよい。
【００５６】
記憶機構１３は、画像データ、画像要素、表示画像、画像作成条件等の種々のデータを記憶するものである。記憶機構１３は、解析機構１２が画像要素を分類した場合には、例えば、カラーパレット、カラーテーブル、画像フォルダ等に分類して各データを記憶してもよい。また、記憶機構１３は、作成した表示画像、表示画像の作成に使用した条件等の履歴も記憶してもよい。
【００５７】
本発明の電子機器１０としては、外面の少なくとも一部に表示機構１６を配することができる機器であればいずれの電子機器でもよい。本発明の電子機器１０としては、例えば、携帯電話機、パソコン、ゲーム機、オーディオ機器、家電等を挙げることができる。
【００５８】
次に、本発明の電子機器のデザイン設定方法及びデザイン設定プログラムについて、電子機器の動作を基に説明する。図３に、本発明の電子機器のデザイン設定方法及びデザイン設定プログラムを説明するためのフローチャートを示す。
【００５９】
まず、取得機構１１により画像データを取得する（Ｓ１１）。例えば、入力機構１１ａを使用する場合、服装、バッグ、装飾品、インテリア、風景等の画像データを取得する。通信機構１１ｂを使用する場合、インターネットサイトからイメージやキャラクターをダウンロードしたり、他の電子機器からイメージや他の電子機器の表示画像を受信したりする。取得した画像データは記憶機構１３に記憶してもよい。次に、解析機構１２により、画像データを解析し、画像要素を抽出する（Ｓ１２）。どのような画像要素を抽出するかは、適宜所望の条件を設定して決定する。次に、抽出した画像要素を記憶機構１３に記憶する（Ｓ１３）。画像要素は必要に応じて分類して記憶してもよい。次に、作成機構１４により、画像要素（画像データ含む）から、表示画像を作成する（Ｓ１４）。
【００６０】
手動で表示機構１６を作成する場合には、作成機構１４は、使用者の操作によって、画像データや画像要素の少なくとも１つから表示画像を作成する。例えば、キャラクター等の絵柄と模様とを組み合わせたり、カラーパレットやカラーテーブルを用いたりして、表示画像を作成する。また、作成機構１４は、使用者が画像編集や文字入力等するための編集機能を有してもよい。
【００６１】
自動で表示機構１６を作成する場合には、作成機構１４は、使用者が指定した所定の作成条件に基づいて、画像データや画像要素の少なくとも１つから表示画像を作成する。例えば、使用者が画像要素（例えば、使用者の服装、使用者が身に着けているカバンや装飾品、インテリア、キャラクター、模様、カラーテーブル、カラーパレット等）の少なくとも１つを指定し、所定の画像作成条件に基づいて（例えば、使用者の服装やインテリアに電子機器１０の表示画像をコーディネートするように、電子機器１０が映えるように、家族が所持している他の電子機器１０のデザインと同一とするもしくは調和するように、等）、表示画像を作成する。また、作成機構１４は、使用者が指定していない画像要素（例えば、画像フォルダ、カラーテーブル、カラーパレット等に記憶されている画像要素）を用いてもよい。
【００６２】
次に、制御機構１５により、作成した表示画像を所望の設定で表示機構１６に出力する（Ｓ１５）。
【００６３】
本発明のデザイン設定プログラムは、上記で説明したようなＳ１１〜Ｓ１５の工程を電子機器に実現させる。
【００６４】
本発明の電子機器によれば、電子機器の外観やデザインを使用者の好む外観やデザインに設定することができる。また、電子機器の外観やデザインの変更を容易に行うことができる。使用者の服装や所持品に応じて適宜、電子機器の外観やデザインを変更することができる。また、電子機器のメーカーは、電子機器の外観やデザインを使用者に委ねて、外観やデザインを決定するための過程を削減して、電子機器の製造コストを低減させることができる。
【００６５】
次に、本発明の第１実施形態に係る電子機器のデザイン設定システムについて説明する。図４に、第１実施形態に係るデザイン設定システムの概略構成図を示す。第１実施形態に係るデザイン設定システム１００は、複数の電子機器１０，２０を備える。複数の電子機器である第１電子機器１０及び第２電子機器２０は、少なくとも、表示機構１６，２６と、制御機構１５，２５と、通信機構１１ｂ，２１ｂと、をそれぞれ備える。複数の電子機器１０，２０のうちの少なくとも１つは、作成機構１４，２４を有する。図４に示すように、第１電子機器１０及び第２電子機器２０は、入力機構１１ａ，２１ａ、作成機構１４，２４、及び解析機構１２，２２のうち少なくとも１つを備えていてもよい。好ましくは、複数の電子機器１０，２０のうち少なくとも１つは、上記で説明したような本発明の電子機器である。なお、通信機構１１ｂ，２１ｂは、データを受信するだけでなく、送信もできるものである。
【００６６】
複数の電子機器１０，２０は、同一種類の電子機器でもよいし、異なる種類の電子機器でもよい。例えば、複数の電子機器の例としては、家族、友人もしくはグループ間で各自が所持する携帯電話機、携帯電話機とオーディオ機器、冷蔵庫と電子レンジ等が挙げられる。
【００６７】
次に、本発明の電子機器のデザイン設定方法及びデザイン設定プログラムについて、図４に示す第１電子機器１０と第２電子機器２０を備える第１実施形態に係るデザイン設定システム１００の動作を基に説明する。
【００６８】
本発明のデザイン設定方法及びデザイン設定プログラムにおいては、第１電子機器１０の表示画像と第２電子機器２０の表示画像とが対応するように表示画像を作成する。ここで、対応するとは、例えば、第１電子機器１０の表示画像と第２電子機器２０の表示画像とを相関づけたり、調和させたりすることをいい、例えば、２つの表示画像を同一にしたり、色違い・柄違いにしたり、同じ絵柄を用いたりしてもよい。また、１つのデザインを複数に分解して、第１電子機器１０の表示画像と第２電子機器２０の表示画像とを合わせて１つのデザインが形成されるようにしてもよい。
【００６９】
図５に、本発明の電子機器のデザイン設定方法及びデザイン設定プログラムを説明するためのフローチャートを示す。まず、第１電子機器１０が表示画像を作成する場合について説明する。第１電子機器１０は、取得機構１１により、第２電子機器２０の表示画像や第２電子機器２０の表示画像に使用されている画像要素を取得する（Ｓ２１）。次に、取得した表示画像や画像要素を記憶機構１３に記憶する（Ｓ２２）。次に、取得した表示画像や画像要素を用いて、所定の作成条件に基づいて、第２電子機器２０と対応するような表示画像を作成する（Ｓ２３）。次に、作成した表示画像を記憶機構１３に記憶する（Ｓ２３）。次に、作成した表示画像を表示機構１６に出力する（Ｓ２５）。また、作成した表示画像を第２電子機器２０に出力させる等、必要があれば、作成した表示画像を第２電子機器２０に送信する（Ｓ２６）。第１電子機器１０から表示画像を受信した第２電子機器２０は、この表示画像を表示機構２６に出力してもよいし、この表示画像を基にＳ２１〜Ｓ２５により新たな表示画像を作成して、出力してもよい。
【００７０】
次に、第１電子機器１０及び第２電子機器２０がそれぞれ表示画像を作成する場合について説明する。まず、第１電子機器１０及び第２電子機器２０は、取得機構１１，２１により、それぞれ、同一又は類似の画像要素や画像データを取得する（Ｓ２１）。次に、取得した画像要素等を記憶する（Ｓ２２）。次に、第１電子機器１０及び第２電子機器２０は、それぞれ、取得した画像要素等を基に、作成機構１４，２４により表示画像を作成する（Ｓ２３）。このとき、同一又は類似の画像要素を使用したり、同一又は類似の作成条件を設定したりするなどして、第１電子機器１０及び第２電子機器２０を対応させるようにする。次に、作成した表示画像を記憶機構１３，２３にそれぞれ記憶し、表示機構１６，２６にそれぞれ出力する（Ｓ２５）。必要があれば、通信機構１１ｂ，２１ｂにより、他の電子機器へ表示画像を送信する（Ｓ２６）。
【００７１】
次に、第１電子機器１０と第２電子機器２０とが協働して表示画像を作成する場合について説明する。例えば、第１電子機器１０が記憶もしくは出力している表示画像と第２電子機器２０が記憶又は出力している表示画像とを基にして、共通の表示画像を作成する。
図６に、本発明の電子機器のデザイン設定方法及びデザイン設定プログラムを説明するためのフローチャートを示す。まず、第１電子機器１０及び第２電子機器２０それぞれにおいて、基礎とすべき表示画像を決定し、少なくとも一方の電子機器は、他方の電子機器に、決定した表示画像を送信する（Ｓ４１）。受信した表示画像をそれぞれ記憶機構１３，２３に記憶する（Ｓ４２）。次に、作成機構１４，２４により、送信した表示画像と受信した表示画像とを比較し（基礎とする表示画像を比較し）、所定の条件に基づいて、両表示画像の差分を検出する（Ｓ４３）。次に、検出した差分を基に、共通に出力する共通表示画像を決定する（Ｓ４４）。Ｓ４３及びＳ４４は、一方の電子機器で行ってもよいし、両方の電子機器で行ってもよい。一方の電子機器で行った場合には、決定した共通表示画像を他方の電子機器に送信する。または、表示画像を作成した後に、作成した表示画像を送信してもよい。Ｓ４３及びＳ４４を両方の電子機器で行った場合で、決定した共通表示画像が異なってしまった場合には、同一の共通表示画像が決定するまで、Ｓ４１〜Ｓ４４を繰り返すと好ましい。次に、少なくとも一方の作成機構１４，２４により、共通表示画像を作成する（Ｓ４５）。共通表示画像を作成するための画像要素は、記憶機構１３，２３に記憶されている画像要素を使用したり、通信機構１１ｂ，２１ｂを使用して外部から取得したりすることができる。作成した表示画像を記憶機構１３，２３に記憶する（Ｓ４６）と共に、表示機構１６，２６に出力する（Ｓ４７）。一方の電子機器で共通表示画像を作成した場合には、他方の電子機器へ作成した表示画像を送信する（Ｓ４８）。
【００７２】
なお、「差分」とは、例えば、色相環（例えばカラーテーブルに登録されているもの）、彩度、明度、柄・模様の密度等を参照して決定される。以下に、差分に基づいて共通表示画像を決定する例を挙げる。例えば、一方の電子機器の表示画像の色（例えば赤）と他方の電子機器の表示画像の色（例えば青）とから、共通表示画像の色を両表示画像の色の中間色（例えば紫）にする。一方の電子機器の表示画像の明度（例えば明度が１の赤）と他方の電子機器の表示画像の明度（例えば明度が１０の赤）とから、共通表示画像の明度を両表示画像の明度の中間（例えば明度が５の赤）にする。一方の電子機器の表示画像の色と他方の電子機器の表示画像の色とを対照色にしたい場合には、一方の電子機器の表示画像の色（例えば橙）を基に、共通表示画像の色（例えば青）を決定する。一方の電子機器の表示画像のキャラクター（例えばキャラクターＡ）と他方の電子機器の表示画像の色（例えば赤）とをコラボレーションさせたい場合には、共通表示画像に両要素の組み合わせ（例えば赤地のキャラクターＡ）を使用する。
【００７３】
また、本発明の電子機器のデザイン設定方法及びデザイン設定プログラムにおいては、解析機構１２，２２により画像要素の抽出（分類を含んでもよい）を行ってもよい。図７に、本発明の電子機器のデザイン設定方法及びデザイン設定プログラムを説明するためのフローチャートを示す。Ｓ４１〜Ｓ４８は、上記Ｓ１１〜Ｓ１５及びＳ３１〜Ｓ３８と同様であるのでここでは説明を省略する。
【００７４】
本発明のデザイン設定プログラムは、上記で説明したようなＳ２１〜Ｓ２６の工程、Ｓ３１〜Ｓ３８の工程、又はＳ４１〜Ｓ４８の工程を電子機器に実現させる。
【００７５】
本発明のデザイン設定方法及びデザイン設定プログラムによれば、第１電子機器１０の表示画像と第２電子機器２０の表示画像とを同一にさせたり、調和させたりすることが容易にできる。
【００７６】
なお、上記説明においては、２つの電子機器を例に本発明を説明したが、本発明は、３以上の電子機器に適用可能であることはいうまでもない。
【００７７】
次に、本発明の第２実施形態に係る電子機器のデザイン設定システムについて説明する。図８に、第２実施形態に係るデザイン設定システムの概略構成図を示す。第２実施形態に係るデザイン設定システム２００は、少なくとも１つの電子機器１０，２０と、サーバ３０と、を備える。第１電子機器１０及び第２電子機器２０は、少なくとも、表示機構１６，２６と、制御機構１５，２５と、通信機構１１ｂ，２１ｂと、記憶機構１３，２３をそれぞれ備える。図８に示すように、第１電子機器１０及び第２電子機器２０は、入力機構１１ａ，２１ａ、作成機構１４，２４、及び解析機構１２，２２のうち少なくとも１つを備えていてもよい。好ましくは、複数の電子機器１０，２０のうち少なくとも１つは、上記で説明したような本発明の電子機器である。なお、通信機構１１ｂ，２１ｂは、データを受信するだけでなく、送信もできるものである。
【００７８】
サーバ３０は、少なくとも、通信機構３１と、記憶機構３２と、作成機構３４と、を備える。サーバ３０は、解析機構３２を備えてもよい。第１実施形態に係るデザイン設定システムにおいては、電子機器において表示画像を作成したり、画像要素の抽出を行ったりしたが、第２実施形態に係るデザイン設定システムにおいては、少なくともサーバ３０において表示画像を作成したり、画像要素の抽出を行ったりする。
【００７９】
次に、本発明の電子機器のデザイン設定方法及びデザイン設定プログラムについて、図８に示す第１電子機器１０と、第２電子機器２０と、サーバ３０とを備える第２実施形態に係るデザイン設定システム２００の動作を基に説明する。サーバ３０において表示画像を作成する場合、２実施形態に係るデザイン設定システム２００の動作は、表示画像の出力（Ｓ２５、Ｓ３７，Ｓ４７）と表示画像の送信（Ｓ２６、Ｓ３８，Ｓ４８）の順番が逆となる以外は、図５〜図７に示すフローチャートと同様である。例えば、図５に示すフローチャートと同様のフローチャートを図９に示す。まず、サーバ３０においてＳ５１〜Ｓ５４を行う。サーバの操作は、表示画像を出力する各電子機器から行ってもよいし、表示画像を出力しない電子機器から行ってもよい。Ｓ５１においては、表示画像等は、インターネットサイトから取得してもよいし、電子機器１０，２０から受信してもよい。サーバ３０は、Ｓ５３において作成した表示画像を通信機構３１により各電子機器１０，２０に送信する（Ｓ５５）。各電子機器１０，２０は、受信した表示画像を表示機構１６，２６に出力する（Ｓ５６）。図６及び図７と同様のフローについての説明はここでは省略する。
【００８０】
なお、電子機器１０，２０も作成機構１４，２４を備える場合、電子機器１０，２０において表示画像を作成してもよいし、サーバ３０で表示画像を作成してもよい。
【００８１】
本発明のデザイン設定プログラムは、上記で説明したようなＳ５１〜Ｓ５６の工程等を電子機器に実現させる。
【００８２】
本実施形態によれば、表示画像や画像要素等を共有することができるので、複数の電子機器間で表示画像を対応させることが容易となる。特に、図６に示すフローチャートにおいて説明したような共通表示画像の作成が容易となる。
【００８３】
なお、上記説明においては、２つの電子機器を例に本発明を説明したが、１又は３以上の電子機器に適用可能であることはいうまでもない。
【００８４】
本発明の電子機器、電子機器のデザイン設定システム、電子機器のデザイン設定方法、及び電子機器のデザイン設定プログラムは、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００８５】
本発明のさらなる課題、目的及び展開形態は、請求の範囲を含む本発明の全開示事項からも明らかにされる。
【産業上の利用可能性】
【００８６】
本発明は、作成した表示画像をデザインとして表面の少なくとも一部に出力できるものであれば適用することができる。例えば、本発明は、限定はされないが、例えば、携帯電話機、オーディオ機器、パソコン、家電、バッグ、アクセサリー等にも適用することができる。
【符号の説明】
【００８７】
１０        （第１）電子機器
１１，２１        取得機構
１１ａ，２１ａ        入力機構
１１ｂ，２１ｂ        通信機構
１２，２２        解析機構
１３，２３        記憶機構
１４，２４        作成機構
１５，２５        制御機構
１６，２６        表示機構
２０        第２電子機器
３０        サーバ
３１        通信機構
３２        記憶機構
３３        解析機構
３４        作成機構
３５        制御機構
１００，２００        デザイン設定システム
【図１】
2010245620.tif 000003
【図２】
2010245620.tif 000004
【図３】
2010245620.tif 000005
【図４】
2010245620.tif 000006
【図５】
2010245620.tif 000007
【図６】
2010245620.tif 000008
【図７】
2010245620.tif 000009
【図８】
2010245620.tif 000010
【図９】
2010245620.tif 000011